(57)【要約】  積み板（２２）を備え、後方ストッパ（５６）を備え、後方ストッパ（５６）とは反対側に揃え部材（５８）を備え、後方ストッパ（５６）と揃え部材（５８）とは、折り丁スタック（１１０）が積み板（２２）上で後方ストッパ（５６）と揃え部材（５８）との間に配置できるように分離して設けられており、フレキシブルなガイド（５２）が、揃え部材（５８）とは反対側に設けられており、フレキシブルなガイド（５２）は、後方ストッパ（５６）に隣接して設けられているホッパが提供される。積み板（２２）を備え、後方ストッパ（５６）を備え、後方ストッパ（５６）とは反対側に揃え部材（５８）を備え、後方ストッパ（５６）と揃え部材（５８）とは、折り丁スタック（１１０）が積み板（２２）上で後方ストッパ（５６）と揃え部材（５８）との間に配置できるように分離して設けられており、歯付ガイド（５２）が、揃え部材（５８）とは反対側で、後方ストッパ（５６）に隣接して配置されていて、歯付ガイド（５２）の複数の歯（５３）が、折り丁スタック（１１０）に対向しているホッパが提供される。方法も提供される。
2010523442.tif 000002
【特許請求の範囲】
【請求項１】
ホッパにおいて、
積み板を備え、
後方ストッパを備え、
該後方ストッパとは反対側に揃え部材を備え、後方ストッパと揃え部材とは、折り丁スタックが積み板上で後方ストッパと揃え部材との間に配置できるように分離して設けられており、
フレキシブルなガイドが、揃え部材とは反対側で、後方ストッパに隣接して設けられていることを特徴とする、ホッパ。
【請求項２】
フレキシブルなガイドは、ブレードである、請求項１記載のホッパ。
【請求項３】
フレキシブルなガイドは、鋼から製造されている、請求項１記載のホッパ。
【請求項４】
フレキシブルなガイドは、積み板から離反する方向に少なくとも１つの自由端部を備えている、請求項１記載のホッパ。
【請求項５】
フレキシブルなガイドは、積み板に関して底に取り付けられている、請求項１記載のホッパ。
【請求項６】
フレキシブルなガイドは、後方ストッパに取り付けられている、請求項１記載のホッパ。
【請求項７】
積み板とフレキシブルなガイドとは、間隔を有して配置されている、請求項１記載のホッパ。
【請求項８】
フレキシブルなガイドは、長孔を備えている、請求項１記載のホッパ。
【請求項９】
フレキシブルなガイドは、長さ、幅および厚さを有しており、厚さは、幅よりも小さく、折り丁スタックに対向している、請求項１記載のホッパ。
【請求項１０】
フレキシブルなガイドは、折り丁スタックに対向する複数の歯を備えている、請求項１記載のホッパ。
【請求項１１】
歯の大きさは、折り丁スタックに含まれる折り丁に関連している、請求項１０記載のホッパ。
【請求項１２】
請求項１記載のホッパを備えた、折り丁供給装置。
【請求項１３】
請求項１２記載の複数の折り丁供給装置を備え、
折り丁供給装置から折り丁を受け取る搬送装置を備えた、コレータ。
【請求項１４】
ホッパ内で折り丁を位置調整する方法において、
折り丁を規定するために、ホッパの上位開口で複数の折り丁を受け取り、
折り丁スタックを揃え部材と接触させ、
折り丁スタックをフレキシブルなガイドを用いて位置調整することを特徴とする、折り丁を位置調整する方法。
【請求項１５】
ホッパにおいて、
積み板を備え、
後方ストッパを備え、
該後方ストッパとは反対側に揃え部材を備え、後方ストッパと揃え部材とは、折り丁スタックが積み板上で後方ストッパと揃え部材との間に配置できるように分離して配置されており、
歯付ガイドが、揃え部材とは反対側で、後方ストッパに隣接して設けられており、歯付ガイドの複数の歯が、折り丁スタックに対向していることを特徴とする、ホッパ。
【請求項１６】
歯の大きさが、折り丁スタックに含まれる折り丁に関連している、請求項１５記載のホッパ。
【請求項１７】
歯付ガイドは、ブレードである、請求項１５記載のホッパ。
【請求項１８】
歯付ガイドは、鋼から成っている、請求項１５記載のホッパ。
【請求項１９】
歯付ガイドは、積み板から離反する方向に少なくとも１つの自由端部を備えている、請求項１５記載のホッパ。
【請求項２０】
歯付ガイドは、積み板に関して底に取り付けられている、請求項１５記載のホッパ。
【請求項２１】
歯付ガイドは、後方ストッパに取り付けられている、請求項１５記載のホッパ。
【請求項２２】
積み板と歯付ガイドとは、間隔を有して配置されている、請求項１５記載のホッパ。
【請求項２３】
歯付ガイドは、長孔を備えている、請求項１５記載のホッパ。
【請求項２４】
歯付ガイドは、長さ、幅および厚さを有しており、厚さは、幅よりも小さく、折り丁スタックに対向している、請求項１記載のホッパ。
【請求項２５】
請求項１５記載のホッパを備えた、折り丁供給装置。
【請求項２６】
請求項２５記載の複数の折り丁供給装置を備え、
折り丁供給装置から折り丁を受け取る搬送装置を備えた、コレータ。
【請求項２７】
折り丁搬送を補助する方法において、
折り丁スタックを規定するために、ホッパの上位開口で、複数の折り丁を受け取り、
折り丁スタックを揃え部材と接触させ、
歯付ガイドを用いて、折り丁スタックにおける複数の折り丁を押さえることを特徴とする、折り丁搬送を補助する方法。
【発明の詳細な説明】
【技術分野】
【０００１】
本発明は、広くはポストプレス装置に関し、特に折り丁供給装置用のホッパに関する。
【０００２】
米国特許第５５１６０９２号明細書においてシート揃え装置が開示されており、シート揃え装置は、異なる紙判に適合させるために、印刷機枠の少なくとも片側に往復運動式に取り付けられた少なくとも１つの揃え装置を備えている。
【０００３】
米国特許第５８９０７１３号明細書において、枚葉印刷機のデリバリにパイルを形成するための装置が開示されている。パイル形成装置は、シート縁部を備えるための複数の突き揃え板を備えている。突き揃え板は、パイルの側面に対して垂直に配置されていて、それぞれ駆動可能で、定位置のシートガイドおよびシートストッパに向かって移動することができる。
【０００４】
米国特許第６０８２７２４号明細書において、その開示内容を本明細書に引用したものとするが、シート材料集合体を形成するための装置が開示されている。形成装置は、搬送装置に沿って配置された、複数の定位置のシート材料物品供給装置を備えている。
【０００５】
米国特許第６５７２１０１号明細書において、その開示内容を本明細書に引用したものとするが、折り丁供給装置用のフレキシブルな揃え装置が開示されている。揃え装置は、供給装置のホッパの第１側面に配置された後方ストッパと、ホッパの、第１側面とは反対側の第２の側面に配置されたフレキシブルな揃えエレメントとを備えている。
【０００６】
発明の開示
本発明は、ホッパにおいて、積み板を備え、後方ストッパを備え、後方ストッパとは反対側に揃え部材を備え、後方ストッパと揃え部材とは、折り丁スタックが積み板上で後方ストッパと揃え部材との間に配置できるように分離して設けられており、フレキシブルなガイドが、揃え部材とは反対側で、後方ストッパに隣接して設けられている、ホッパを提供する。
【０００７】
また本発明は、ホッパ内で折り丁を位置調整する方法において、折り丁を規定するために、ホッパの上位開口で複数の折り丁を受け取り、折り丁スタックを揃え部材と接触させ、折り丁スタックをフレキシブルなガイドを用いて位置調整する、折り丁を位置調整する方法を提供する。
【０００８】
さらに本発明は、ホッパにおいて、積み板を備え、後方ストッパを備え、後方ストッパとは反対側に揃え部材を備え、後方ストッパと揃え部材とは、折り丁スタックが積み板上で後方ストッパと揃え部材との間に配置できるように分離して配置されており、歯付ガイドが、揃え部材とは反対側で、後方ストッパに隣接して設けられており、歯付ガイドの複数の歯が、折り丁スタックに対向している、ホッパを提供する。
【０００９】
そして本発明は、折り丁搬送を補助する方法において、折り丁スタックを規定するために、ホッパの上位開口で、複数の折り丁を受け取り、折り丁スタックを揃え部材と接触させ、歯付ガイドを用いて、折り丁スタックにおける複数の折り丁を補助する、折り丁搬送を補助する方法を提供する。
【００１０】
本発明の好適な形態を図示して、以下に詳説する。
【図面の簡単な説明】
【００１１】
【図１】折り丁供給装置を備えたインサータを示す図である。
【図２】本発明による揃え装置を備えたホッパを示す図である。
【図３】図２に示したホッパに進入する折り丁を示す図である。
【図４】図２に示した揃え装置の揃えブレードを示す図である。
【００１２】
実施の形態の説明
ホッパ（底開き貯蔵供給装置）は、後処理に供給するために印刷済みの折り丁を集積し、整列するか、または位置調整（位置決め）するために用いられる。揃え装置は、積み込まれた折り丁がホッパに送られて揃えられるか、または折り丁が移動して整列される場合に、用いられる。揃え装置は、ホッパに集積された折り丁の位置調整を改善する。しかしながら揃え動作は、振動の原因となり、振動は、供給エラーまたは整列エラーの原因となる。軽量の製品では、振動は、折り丁が持ち上がる原因となり、供給が行われない恐れがある。
【００１３】
図１には、複数の折り丁供給装置１０，１２を備えたコレータ、たとえばインサータ８０を示した。コレータは、インサータ、中とじ機、無線とじ機または他のポストプレスの総繰り装置であってよい。両方の折り丁供給装置１０，１２は、同じであってよい。折り丁供給装置１０は、ホッパ２０と、グリッパ３２を具備する供給ドラム３０と、サッカ機構４０とを備えている。ホッパ２０は、ホッパ面板２３とホッパ積み板２２とを備えている。ホッパ２０は、折り丁を集積して、整列し、折り丁スタック１１０を形成し、折り丁スタック１１０は、積み板２２に載置される。サッカ機構４０は、たとえば真空を有してよく、ホッパ２０内に配置された折り丁スタック１１０の底から折り丁１００を引っ張る。供給ドラム３０に設けられたグリッパ３２は、ホッパ２０から折り丁１００を受け取り、折り丁１００を離してポケット６０に送る。ポケット６０は、コンベヤ８２に沿って移動する。ポケット６０が折り丁供給装置１２の下方を通過すると、第２の折り丁がポケット６０に集積される。
【００１４】
図２には、揃え装置５０を備えたホッパ２０を示した。揃え装置５０は、揃え部材５８と後方ストッパ５６と揃えブレード５２，５４とを備えている。後方ストッパ５６は、ホッパ積み板２２上に取り付けられている。揃え部材５８は、板２４と板２５との間に配置されている。板２４と板２５とが相俟って、ホッパ面板２３を規定する。揃え部材５８は、たとえばホッパローダによって機械式に駆動することができる。揃えブレード５２，５４は、後方ストッパ５６に取り付けられている。ボルト１５２が長孔１５３に設けられており、これに応じてナットが揃えブレード５２，５４を後方ストッパ５６に固定している。同様に、ボルト１５４が長孔１５５に設けられており、これに応じてナットが揃えブレード５４を後方ストッパ５６に固定している。揃えブレード５２，５４の位置は、たとえばスロット１５３，１５５内でボルト１５２，１５４の位置をそれぞれ調整することによって、所望に調整することができる。好適な形態では、揃えブレード５２，５４は、折り丁スタック１１０の角の傍に設けられている。
【００１５】
図３には、ホッパ２０に進入する折り丁１００を示した。揃え部材５８は、板２４，２５に関して折り丁１００の折り背１０２を折り丁スタック１１０の折り背１１２に整列するか、または位置調整するように、振動する。折り丁１００がホッパ２０に進入すると、揃え部材５８は、折り丁１００と接触して、折り丁１００を移動させ、後方ストッパ５６および揃えブレード５２，５４に当接させる。揃えブレード５２，５４は、折り丁スタック１１０から離間する方向ｘに撓み、折り丁スタック１１０に向かってｙ方向に弾性的に戻されて、折り丁１００および折り丁スタック１１０を揃え部材５８およびホッパ面板２３に向かって押し付け、その結果折り背１０２をホッパ面板２３に当接させ折り背１１２に整列する。
【００１６】
図４には、長孔１５３と歯５３とを備えた揃えブレード５２を示した。揃えブレード５２は、好適には自由端部５１を有し、長さｌと幅ｗと厚さｔとを有している。図４に示したように、ブレード５２は、間隔ｓを有してパイル積み板２２から立設されている。間隔ｓは、ブレード５２に撓むため、また揃える間に運動するための空間を提供する。長さｌ、幅ｗ、厚さｔ、材料および位置に応じて、ブレード５２は、揃え部材５８による振動変形を修正補助するために振動することができる（図３）。揃えブレード５２は、たとえばばね鋼から成っており、たとえば弓鋸歯であってよい。さらに歯５３は、好適には、ホッパ２０が振動する際に折り丁スタック１１０を押さえるのにも役立つ。歯の大きさは、たとえば一般的な折り丁厚さまたは折り丁重さに基づいて任意に選択することができる。さらに揃えブレード５２は、最小限の力でブレード５２が撓むように設計することができる。フレキシブルなブレードが好適ではあるが、コイルばねまたは他種のばね装置もフレキシブルなガイドとして用いることができる。
【００１７】
したがって揃え装置５０は、一様に位置調整された折り丁スタック１１０を形成することができる。折り丁スタック１１０における揃え部材５８および揃えブレード５２，５４の３つの揃え箇所によって、折り背１１２は、ホッパ面板２４，２５に対して位置調整される。ホッパ面板２３による折り丁スタック１１０の適切な位置調整によって、ホッパ２０から供給ドラム３０への確実な供給が得られる（図１）。さらに揃えブレード５２，５４は、軽量の折り丁の揃えおよび搬送を補助することができる。
【００１８】
用語「折り丁」とは、ここでは、単数または複数のシートの印刷済み製品を含むものと規定することができ、印刷済み製品は、本とも呼ばれ、綴じていても綴じていなくてもよい。
【００１９】
軽量の折り丁は、ここでは、３０ポンド以下の用紙の印刷済みの折り丁と規定されている。本発明では、軽量の折り丁または８頁以下の折り丁が特に好適である。
【００２０】
前述の説明において、本発明を、具体的な構成およびその実施の形態に関して記載した。しかしながらここで言及しておくと、請求の範囲に記載した本発明の思想および範囲から逸脱することなく、様々な改良形および変化形が形成される。明細書および図面の記載は、本発明を制限するものではなく、単に例示したものに過ぎない。
【図１】
2010523442.tif 000003
【図２】
2010523442.tif 000004
【図３】
2010523442.tif 000005
【図４】
2010523442.tif 000006
【国際調査報告】
2010523442.tif 000007